(57)【要約】      （修正有）【課題】クリーン発電を提供して、地球温暖化抑止に貢献する。電力源が無限で有る発電プラントを提供する。低コスト発電システムを提供する。電力を安定して供給する。水産増殖漁業振興を提供する。【解決手段】洋上設置タイプ、水面１にフロート１６を設置して、その上に太陽電池発電システム１１と混合媒体発電プラント６と発電機１４の三者発電を三重に結合しての、相乗効果で発電の高効率化（発電機の廃熱を混合媒体発電の電力源に活用して）と設備費削減とスペース効率化とクリーンな電力の安定供給を提供する。海洋深層水を発電プラントの冷却水と水産物増殖漁業振興に複合活用する。陸上設置タイプ、発電プラント部を陸上に設置して、深層水パイプ９を海洋に設置する。【選択図】図１
2010038149.tif 000002
【特許請求の範囲】
【請求項１】
水面（１）に熱交換器（２）を設置して、作動流体（水、又はアンモニアと水の混合液）を、送液ポンプ（３）を駆動して、熱交換器（２）の内部に、作動流体を循環パイプ（４）を通じて送入する、
熱交換器（２）内の作動流体は太陽熱で加熱された、熱交換器（２）上部の熱で加熱される、加熱された作動流体は作動流体循環パイプ（４）を通じて放出してタービン（５）を回転するタービン（５）の回転を同軸に有る発電機（６）で電機に変換する、
発電後の排作動流体は作動流体循環パイプ（４）を通じて、複液器（７）内に送入して冷却して液化して、作動流体循環パイプ（４）を通じて送液ポンプ（３）へ継続循環する、
給深層水ポンプ（８）を駆動して、深層水パイプ（９）を通じて深層水を汲み上げて複液器（７）内に送入して深層水を作動流体の冷却水として一次活用する、排水パイプ（１０）より排出した排深層水は、飲料水、食品、化粧品、水産増殖漁業振興等に二次利用する、
熱交換器（２）の上部にソーラーパネル（太陽電池）（１１）と太陽電池発電システムを備えて、混合媒体（水とアンモニアの混合液）発電と太陽電池発電の両者を（２）に二重に構成したことを特徴とした発電プラント。
【請求項２】
請求項１記載において、水上複合発電プラントの熱交換器（２）の上部のソーラーパネル（１１）は傾斜して設置して、フロート（１６）を機械力（例えばエンジン、モーター（１２）とスクリュー（１３））等で方向転換｛横回転｝の機能を有する、ソーラーパネル（１１）傾斜面が朝は東方を向き昼時は南方を向き夕時は西方を向く、太陽の移動に応じてソーラーパネル（１１）も方向転換して太陽と常に対面して、太陽光熱を効率良く取り込む、ことを特徴とした発電プラント。
【請求項３】
請求項１、２記載において、三重結合発電プラントの熱交換器（２）の下部に発電機（天然ガスコージェネシステム、又は燃料電池発電機）（１４）を備えて、雨天、夜間等不日照時は、発電機（１４）を稼動して発電する、発電機（１４）の廃熱で排熱パイプ（１５）を通じて、熱交換器（２）内の作動流体を加熱して、上記のように太陽電池発電、（１１）と混合媒体発電（６）と発電機（１４）を三重に構成して発電することを特徴とした、三重結合発電プラント。
【発明の詳細な説明】
【技術分野】
【０００１】混合媒体発電と太陽電池発電と発電機の三者を合理的に構成した発電プラントの冷却水に、海洋深層水を使用して、次に飲料水や漁業に海洋深層水を複合利用することに関する。
【背景技術】
【０００２】従来、混合媒体を作動流体として、海洋温度差発電が研究されているが商業発電として実用化されていない。
太陽光を化学反応して発電する太陽電池発電が普及している。
ＣＯ２を排出しない、燃料電池発電が期待されている、又、ＣＯ２排出の少ない天然ガスコ−ジェネシステムも普及している。
【発明の開示】
１９９７年特許第０６４９９８５号
【発明が解決しようとする課題】
【０００３】太陽電池発電は大きな電力を得るためには広範な面積を必要とする。
海洋温度差発電も大きな電力を得るためには、広範な面積の熱交換器が必要である。
前者は土地代とパネル台の投資が多額となる課題がある。
後者は広範な面積の熱交換器の設備投資が多額となる課題がある。
近年、漁獲量が減少して漁業が衰退している。
【問題を解決するための手段】
【０００４】広大な面積を要する、海洋にフロートを設置してその熱交換器の上部をソーラーパネル（太陽電池）台として、内部を混合媒体発電のガス発生器として、その下部に発電機を（三重）に立体活用して、
合理化することで、太陽電池発電と混合媒体発電の発電機の設備投資費の大幅節約と洋上利用で経済的に複合発電プラントスペースが確保できる、又クリーンな電力を安定供給する、栄養豊富な海洋深層水を水産に二次利用して、植物プランクトンを始め、水産（魚介、藻海草類、）の増殖を促し、海洋環境改善と漁業振興に貢献する。
【発明の効果】
【０００５】本発明は、以上説明したような方法で有るから、下記に奉じる効果を奏する。
太陽電池発電と混合媒体発電と発電機を三重に合理化することで下記のような相乗効果が得られる。
発電効率の向上（スペースあたりの発電能力向上）
三重化によるスペースの削減
三重化による設備コストの削減
２４時電力を安定して供給出来る。
経済的にスペース（洋上）確保ができる。
クリーン発電だから地球温暖化抑止に貢献する。
海洋深層水を作動流体の冷却水に一次使用水産増殖に二次使用する、海洋深層水は窒素燐、等栄養豊富であるから、水産増殖の効果が大きい。
ソーラーパネルが容易に稼動して常時太陽に対面するから、効率良く太陽光熱をとりこめる。
【実施例】
【０００６】本発明の実施例を図面１を参照して説明すれば、水面（１）に熱交換器（２）を設置して、作動流体を、送液ポンプ（３）を駆動して、熱交換器（２）内に、作動流体循環パイプ（４）を通じて送入する、熱交換器（２）内の作動流体は太陽熱でソーラーパネル（１０）と共に加熱された、熱交換器（２）の上部の熱で加熱される、加熱された作動流体は作動流体
循環パイプ（４）を通じて放出してタービン（５）を回転する、タービン（５）の回転を同軸に有る発電機（６）で電機に変換する、
発電後の排作動流体は作動流体循環パイプ（４）を通じて、複液器（７）内に送入して、冷却して液化して、作動流体循環パイプ（４）を通じて送液ポンプ（３）え継続循環する、
給深層水ポンプ（８）を駆動して、深層水パイプ（９）を通じて深層水を汲み上げて複液器（７）内に送入して深層水を作動流体の冷却水として活用する、排水パイプ（１０）より排出した排深層水は、飲料水、食品、化粧品、漁業等に再利用する、
熱交換器（２）の上部にソーラーパネル（太陽電池）（１１）（１１）と太陽電池発電システムを備えて、混合媒体（水とアンモニアの混合液）発電と太陽電池発電の両者を熱交換器（２）に二重に構成する、
ソーラーパネル（１１）は薄いので太陽熱を通し易く、熱交換器（２）内の作動流体は効率よく加熱できる。
熱交換器（２）は運搬後空気又は作動流体ガス、等を現場で充填する、多数のフロートをホースで連結（束ねて）構成した法が構築し易いし熱交換器（２）の事故破損の場合区分個別体であれば被害の拡大が抑止できる。【０００７】熱交換器（２）は機械力（エンジン、モーター（１２）スクリュー（１３））で方向転換して、ソーラーパネル（１１）の傾斜面が常時太陽と対面して、太陽光熱を効率良く取り込むようにする。【０００８】熱交換器（２）の下部に、発電機（天然ガスコ−ジェネシステム、又は燃料電池発電機）（１４）を備えて、雨天、夜間等不日照時は、発電機（１４）を稼動して、発電して発電機（１４）の廃熱で排熱パイプ（１５）を通じて、熱交換器（２）内の作動流体を加熱して、上記のように発電する。
発電プラント部を陸上に設置して、深層水パイプ（９）を海洋に設置することも出来る。
【図面の簡単な説明】
【０００８】
【図１】本発明の洋上に設置した側面図である。
【図２】本発明の洋上に設置した平面図である。
【符号の説明】
【０００８】１      水面
２      熱交換器
３      送液ポンプ
４      作動流体循環パイプ
５      タービン
６      発電機
７      複液器
８      給深層水ポンプ
９      深層水パイプ
１０    排水パイプ
１１    ソーラーパネル（太陽電池）
１２    モーター（エンジン）
１３    スクリュー
１４    発電機
１５    排熱パイプ
１６    フロート
１７    継留ロープ
【図１】
2010038149.tif 000003
【図２】
2010038149.tif 000004